(57)【要約】【課題】電気接続箱の内部への水の侵入を確実に防ぐことができる電気接続箱を提供する。【解決手段】電気接続箱１の箱本体２は、箱本体２の外壁３の一部が窪んだ凹溝４を備えている。前記凹溝４による外壁３の切り欠き部分３ａを塞ぐようにサイドカバー１０が装着される。前記サイドカバー１０の前記凹溝の内面に相対する内側部分である仕切壁１２にのみ、凹溝４内に仕切壁１２に沿って収容された電線６を仕切壁１２に固定する結束バンド１３用の通し孔１４の開口を形成した。該通し孔１４の開口を挿通した結束バンド１３により、電線６をサイドカバー１０の仕切壁１２に固定した。【選択図】図２
2006320131.tif 000002
【特許請求の範囲】
【請求項１】
外壁に電線を収容する凹溝が形成された箱本体と、該箱本体に取り付けられると前記凹溝を塞ぐサイドカバーと、を備えた電気接続箱において、
前記凹溝内に収容された電線を固定する結束バンド用の通し孔の開口を、前記サイドカバーの前記凹溝の内面に相対する内側部分にのみ形成したことを特徴とする電気接続箱。
【請求項２】
前記サイドカバーが、前記箱本体の外壁と面一となって前記凹溝を塞ぐ本体部と、該本体部から前記凹溝内に突出して形成された仕切壁とを備え、
前記サイドカバーの前記凹溝の内面に相対する内側部分としての前記仕切壁に、前記結束バンド用の通し孔の開口を形成したことを特徴とする請求項１記載の電気接続箱。
【請求項３】
前記サイドカバーが、前記箱本体の外壁と面一となって前記凹溝を塞ぐ本体部と、該本体部から前記凹溝内に突出して形成された仕切壁とを備え、
前記サイドカバーの本体部を二重壁構造に形成し、前記サイドカバーの前記凹溝の内面に相対する内側部分としての前記二重壁の内壁部に、前記結束バンド用の通し孔の開口を形成したことを特徴とする請求項１記載の電気接続箱。
【発明の詳細な説明】
【技術分野】
【０００１】
本発明は、移動体としての自動車などに搭載される電気接続箱に関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
多種多様な電子機器に電力を供給するために、自動車は、ジャンクションブロックを適宜箇所に配置してきた。前記ジャンクションブロックは、多数のヒューズやリレー等の各種の電気回路ユニットを集約して構成されている。
【０００４】
前記ジャンクションブロックは、ヒューズ、リレー、ブスバーなどを有することもあることから、ヒューズブロック、リレーボックス、又は総称して電気接続箱とも呼ばれる。本明細書では、前記ヒューズブロック、リレーボックス、ジャンクションブロックを、総称して以下電気接続箱と呼ぶ。
【０００５】
電気接続箱は、外郭を形成する箱本体と、端子金具と、を備えている。箱本体の例えば上面には、前記したリレー、ヒューズやヒュージブルリンクなどの電気部品が装着される装着部が複数設けられている。また、箱本体の例えば下面には、自動車に配索されるワイヤハーネスのコネクタが嵌合する。
【０００６】
ワイヤハーネスは、複数の電線と、該電線の端部などに取り付けられたコネクタとを備えている。コネクタは、自動車に搭載される各種の電子機器や前記箱本体に嵌合する。さらに、前記箱本体は、前記装着部に装着される各種の電気部品と、ワイヤハーネスのコネクタの端子とを予め定められたパターンにしたがって接続するブスバーなどを収容している。
【０００７】
端子金具は、厚手の導電性の板金からなり、平板状の電気接触部と、電線接続部とを一体に備えている。電気接触部には、ボルトのねじ部を通すことのできる孔又は切り欠きが設けられている。電気接触部は、孔又は切り欠き内にねじ部が通るボルトが箱本体の上面にねじ込まれるなどして、前記箱本体に取り付けられる。
【０００８】
電線接続部は、前記電気接触部から折り曲げられて、該電気接触部から立設している。電線接続部は、電源などと接続した電線を加締める加締め片などを備えている。電線接続部は、加締め片で電線を加締めて、該電線の芯線と接続する。
【０００９】
前記電気接続箱は、電線が取り付けられた端子金具の電気接触部をボルトにより、前記箱本体の上面に取り付ける。このとき、端子金具の電線接続部及び該電線接続部に取り付けられた電線を、前記箱本体内に収容することなく該箱本体の外壁面に沿わしておく。
【００１０】
そして、各装着部に所望の電気部品を装着し、ワイヤハーネスのコネクタを箱本体の下面に嵌合する。こうして、前記電気接続箱が組み立てられる。そして、電気接続箱は、電源などから供給される電力を、ヒュージブルリンク、ワイヤハーネスの電線などを介して自動車の各種電子機器に供給する。
【００１１】
しかしながら、前記した電気接続箱は、端子金具の電線接続部及び該電線接続部に取り付けられた電線を、前記箱本体内に収容することなく該箱本体の外壁面に沿わしておくので、箱本体から端子金具の電線接続部が突出して、大型化するという問題があった。
【００１２】
そこで、本発明の出願人は、図８に示すような電気接続箱１０１を提案している（特願２００４−３３５０９７）。
【００１３】
該電気接続箱１０１の箱本体１０２は、箱本体１０２の外壁１０３の一部が窪んだ凹溝１０４を備えている。該凹溝１０４は、前記箱本体１０２の上面１０２ａから下面１０２ｂまで直線状に伸びており、前記箱本体１０２の外壁１０３の一部を所定幅で切り欠いている。
【００１４】
厚手の板金が折り曲げられて形成された端子金具１０５は、一端部に電気接触部１０５ａを備えるとともに、他端部に電線接続部１０５ｂを備えており、該電線接続部１０５ｂには、電線１０６が加締めて接続されている。
【００１５】
前記端子金具１０５は、電気接触部１０５ａが前記箱本体１０２の上面の端子取付部１０７にボルト１０８でねじ止めされるようになっており、その際、前記電線接続部１０５ｂおよび電線１０６は、前記凹溝１０４内に収容されるようになっている。
【００１６】
前記箱本体１０２は、前記凹溝１０４による外壁１０３の切り欠き部分１０３ａの両側に、一対のスライド溝１０９を備えている。該スライド溝１０９は、前記凹溝１０４と同様に箱本体１０２の上面１０２ａから下面１０２ｂまで形成されており、該スライド溝１０９には、前記凹溝１０４による外壁１０３の切り欠き部分１０３ａを塞ぐようにサイドカバー１１０が装着されるようになっている。
【００１７】
該サイドカバー１１０は、図９に示すように、前記凹溝１０４を塞ぐ平板状の本体部１１１と、該本体部１１１から突出した仕切壁１１２とを備えている。そして、前記サイドカバー１１０が前記箱本体１０２のスライド溝１０９に装着された状態で、サイドカバー１１０の本体部１１１が箱本体１０２の外壁１０３と略面一となって前記凹溝１０４を塞ぐとともに、前記仕切壁１１２が前記凹溝１０４内に突出するようになっている。
【００１８】
前記仕切壁１１２は、箱本体１０２の上面から下面まで伸びており、該仕切壁１１２により、前記凹溝１０４内は２つの部屋１０４ａ、１０４ｂに区分される。そして、一方の部屋１０４ａ内には、前記端子金具１０５の電線接続部１０５ｂおよび電線１０６が収容され、他方の部屋１０４ｂ内には、図示しない電線が収容されるようになっている。
【００１９】
この電気接続箱１０１は、端子金具１０５の電線接続部１０５ｂおよび電線１０６を凹溝１０４内に収容するようになっているので、これらが箱本体１０２の外側に突出することを防ぐことができ、そのために、電気接続箱１０１の小型化を図ることができる。
【発明の開示】
【発明が解決しようとする課題】
【００２０】
前記電気接続箱１０１は、図９に示すように、凹溝１０４内に収容した端子金具１０５の電線１０６を、前記サイドカバー１１０に設けた結束バンド１１３で固定している。該結束バンド１１３は、サイドカバー１１０の長手方向に間隔をおいて複数配設されており、結束バンド１１３の少なくとも一端が、サイドカバー１１０の本体部１１１と、サイドカバー１１０の仕切壁１１２とのうちの一方に連なるようになっている。
【００２１】
そのために、サイドカバー１１０の本体部１１１には、結束バンド１１３の一端を通すための通し孔１１４の開口が形成されており、該通し孔１１４の開口は、前記箱本体１０２の外壁１０３と略面一のサイドカバー１１０の本体部１１１の表面に開口している。
【００２２】
このような電気接続箱１０１をエンジンルームの内部に搭載した自動車は、車検などの定期点検において、エンジンルーム内を高圧洗浄する場合がある。
【００２３】
しかし、前記電気接続箱１０１は、箱本体１０２の凹溝１０４内に収容した電線１０６を固定する結束バンド１１３のために、前記サイドカバー１１０の本体部１１１の表面に結束バンド１１３用の通し孔１１４が開口しているので、前記高圧洗浄による水が前記通し孔１１４の開口から電気接続箱１０１の内部に侵入するおそれがあり、そのために、端子金具１０５の電気接触部１０５ａや電線接続部１０５ｂが水に濡れて故障の原因となるという問題があった。
【００２４】
したがって、本発明の目的は、電気接続箱の内部への水の侵入を確実に防ぐことができる電気接続箱を提供することにある。
【課題を解決するための手段】
【００２５】
上記目的を達成するために、請求項１に記載の電気接続箱は、外壁に電線を収容する凹溝が形成された箱本体と、該箱本体に取り付けられると前記凹溝を塞ぐサイドカバーと、を備えた電気接続箱において、前記凹溝内に収容された電線を固定する結束バンド用の通し孔の開口を、前記サイドカバーの前記凹溝の内面に相対する内側部分にのみ形成したことを特徴としている。
【００２６】
請求項２に記載の電気接続箱は、前記サイドカバーが、前記箱本体の外壁と面一となって前記凹溝を塞ぐ本体部と、該本体部から前記凹溝内に突出して形成された仕切壁とを備え、前記サイドカバーの前記凹溝の内面に相対する内側部分としての前記仕切壁に、前記結束バンド用の通し孔の開口を形成したことを特徴としている。
【００２７】
請求項３に記載の電気接続箱は、前記サイドカバーが、前記箱本体の外壁と面一となって前記凹溝を塞ぐ本体部と、該本体部から前記凹溝内に突出して形成された仕切壁とを備え、前記サイドカバーの本体部を二重壁構造に形成し、前記サイドカバーの前記凹溝の内面に相対する内側部分としての前記二重壁の内壁部に、前記結束バンド用の通し孔の開口を形成したことを特徴としている。
【発明の効果】
【００２８】
請求項１に記載の電気接続箱は、外壁に電線を収容する凹溝が形成された箱本体と、該箱本体に取り付けられると前記凹溝を塞ぐサイドカバーと、を備えた電気接続箱において、前記凹溝内に収容された電線を固定する結束バンド用の通し孔の開口を、前記サイドカバーの前記凹溝の内面に相対する内側部分にのみ形成したので、前記箱本体の外壁の凹溝を塞ぐサイドカバーの表面に結束バンド用の通し孔の開口を設ける必要がなくなり、箱本体の外壁に吹き付けられる高圧洗浄水が該通し孔の開口から電気接続箱の内部に侵入する事態を防ぐことができ、電気接続箱の内部への水の侵入を確実に防ぐことができる。
【００２９】
請求項２に記載の電気接続箱は、前記サイドカバーが、前記箱本体の外壁と面一となって前記凹溝を塞ぐ本体部と、該本体部から前記凹溝内に突出して形成された仕切壁とを備え、前記サイドカバーの前記凹溝の内面に相対する内側部分としての前記仕切壁に、前記結束バンド用の通し孔の開口を形成したので、前記箱本体の外壁と面一のサイドカバーの表面に結束バンド用の通し孔の開口を設ける必要がなくなり、箱本体の外壁に吹き付けられる高圧洗浄水が該通し孔の開口から電気接続箱の内部に侵入する事態を防ぐことができ、電気接続箱の内部への水の侵入を確実に防ぐことができる。
【００３０】
また、前記サイドカバーの仕切壁の通し孔の開口を挿通した結束バンドにより、電線を仕切壁に固定することができるので、箱本体の凹溝内に収容された電線が自由に動いて他のワイヤハーネスなどに絡みつくことを防ぐことができ、電線などの配索を整えることができる。
【００３１】
請求項３に記載の電気接続箱は、前記サイドカバーが、前記箱本体の外壁と面一となって前記凹溝を塞ぐ本体部と、該本体部から前記凹溝内に突出して形成された仕切壁とを備え、前記サイドカバーの本体部を二重壁構造に形成し、前記サイドカバーの前記凹溝の内面に相対する内側部分としての前記二重壁の内壁部に、前記結束バンド用の通し孔の開口を形成したので、前記箱本体の外壁と面一のサイドカバーの表面に結束バンド用の通し孔の開口を設ける必要がなくなり、箱本体の外壁に吹き付けられる高圧洗浄水が該通し孔の開口から電気接続箱の内部に侵入する事態を防ぐことができ、電気接続箱の内部への水の侵入を確実に防ぐことができる。
【００３２】
また、サイドカバーの内壁部の通し孔の開口を挿通した結束バンドにより、電線を内壁部に固定することができるので、箱本体の凹溝内に収容された電線が自由に動いて他のワイヤハーネスなどに絡みつくことを防ぐことができ、電線などの配索を整えることができ、さらに、サイドカバーの本体部を二重壁構造に形成したので、サイドカバーの剛性をより高めることができる。
【発明を実施するための最良の形態】
【００３３】
本発明の一実施形態に係る電気接続箱１を、図１乃至図５に基いて説明する。本実施形態に係る図１に示す電気接続箱１は、移動体としての自動車に搭載される。
【００３４】
電気接続箱１は、図１に示すように、箱本体２と、端子金具５と、サイドカバー１０などを備えている。箱本体２は、絶縁性の合成樹脂からなり、周知の射出成形により成形される。箱本体２は、複数の外壁３により、筒状（箱状）に形成されている。
【００３５】
前記箱本体２の例えば上面には、リレー１５などの電気部品が装着される装着部１６が複数設けられている。また、箱本体２の例えば下面には、自動車に配索されるワイヤハーネス（図示せず）のコネクタが嵌合するようになっている。
【００３６】
前記箱本体２は、箱本体２の外壁３の一部が窪んだ凹溝４を備えている。該凹溝４は、前記箱本体２の上面２ａから下面２ｂまで直線状に伸びており、箱本体２の外壁３の一部を所定幅で切り欠いている。
【００３７】
前記端子金具５は、厚手の板金が折り曲げられて形成されており、該端子金具５は、一端部に電気接触部５ａを備えるとともに、他端部に電線接続部５ｂを備えている。前記端子金具５の電気接触部５ａは、前記箱本体２の上面の端子取付部７にボルト８でねじ止めされるようになっている。また、前記端子金具５の電線接続部５ｂには、電線６が加締めて接続されており、端子金具５が電線６と電気的に接続されている。
【００３８】
前記端子金具５は、電線接続部５ｂに電線６が取り付けられた状態で、電線接続部５ｂ及び電線６が前記凹溝４内に収容されて、電気接触部５ａが前記端子取付部７に取り付けられる。このとき、前記電気接触部５ａの長手方向は、前記凹溝４が設けられた箱本体２の外壁３の外壁面３ｂと平行となる。また、端子金具５に取り付けられた電線６は、バッテリなどの電源に接続する。
【００３９】
前記箱本体２は、前記凹溝４による外壁３の切り欠き部分３ａの両側に、一対のスライド溝９を備えている。該スライド溝９は、前記凹溝４と同様に箱本体２の上面２ａから下面２ｂまで形成されており、該スライド溝９には、前記凹溝４による外壁３の切り欠き部分３ａを塞ぐようにサイドカバー１０が装着されるようになっている。
【００４０】
前記サイドカバー１０は、絶縁性の合成樹脂からなり、周知の射出成形により成形される。前記サイドカバー１０は、前記凹溝４を塞ぐ平板状の本体部１１と、該本体部１１から突出した仕切壁１２とを備えている。前記サイドカバー１０は、サイドカバー１０が前記箱本体２のスライド溝９に装着された状態で、サイドカバー１０の本体部１１の表面が箱本体２の外壁３の表面と略面一となって前記凹溝４を塞ぐとともに、前記仕切壁１２が前記凹溝４内に突出するようになっている。そして、前記仕切壁１２は、前記サイドカバー１０の前記凹溝４の内面に相対する内側部分に形成されることになる。
【００４１】
前記仕切壁１２は、図２に示すように、箱本体２の上面から下面まで伸びており、該仕切壁１２により、前記凹溝４内は２つの部屋４ａ、４ｂに区分される。そして、一方の部屋４ａ内には、前記端子金具５の電線接続部５ｂおよび電線６が収容され、他方の部屋４ｂ内には、図示しない電線が収容されるようになっている。
【００４２】
前記凹溝４の一方の部屋４ａ内に収容された電線６は、前記仕切壁１２に沿って配置されており、結束バンド１３により仕切壁１２に固定されている。すなわち、前記サイドカバー１０の前記凹溝４側に面する内側部分である前記仕切壁１２には、図３に示すように、長手方向の上下位置にそれぞれ、結束バンド１３用の通し孔１４ａ、１４ｂが２箇所並んで形成されており、これらの通し孔１４ａ、１４ｂの開口は前記仕切壁１２にのみ形成されている。そして、この通し孔１４の開口を挿通した結束バンド１３により前記電線６は仕切壁１２に固定されている。
【００４３】
前記結束バンド１３は、図４に示すように、頭部１３ａからバンド部１３ｂが延出しており、該バンド部１３ｂの先端１３ｃを、頭部１３ａに設けた貫通孔１３ｄに通して、該貫通孔１３ｄ内に突出させた係止片（図示せず）をバンド部１３ｂに設けた係止溝１３ｅに係止させることにより、バンド部１３ｂで巻回した電線などを結束するようになっている。
【００４４】
したがって、前記結束バンド１３で前記電線６をサイドカバー１０の仕切壁１２に固定するには、図５に示すように、仕切壁１２の電線６が配置されていない側から電線６側に向けて、仕切壁１２の長手方向上部位置に並んで形成された一方の通し孔１４ａに結束バンド１３のバンド部１３ｂの先端１３ｃを挿通させる。次に、バンド部１３ｂの先端が電線６の周囲を回るようにして、電線６側から電線６が配置されていない側に向けて、前記他方の通し孔１４ａ’にバンド部１３ｂの先端１３ｃを挿通させる。そして、仕切壁１２の電線６が配置されていない側に引き出されたバンド部１３ｂの先端１３ｃを、結束バンド１３の頭部１３ａの貫通孔１３ｄに挿通させる。そして、該貫通孔１３ｄを挿通したバンド部１３ｂの先端１３ｃを引っ張ることにより、電線６が仕切壁１２に固定される。
【００４５】
本実施形態によれば、前記サイドカバー１０の前記凹溝４の内面に相対する内側部分である仕切壁１２にのみ、凹溝４内に仕切壁１２に沿って収容された電線６を仕切壁１２に固定する結束バンド１３用の通し孔１４ａ、１４ｂの開口を形成したので、従来のように、箱本体２の外壁３と面一のサイドカバー１０の表面に、結束バンド用の通し孔の開口を設ける必要がなくなり、箱本体２の外壁３に吹き付けられる高圧洗浄水が該通し孔の開口から電気接続箱１の内部に侵入する事態を防ぐことができ、電気接続箱１の内部への水の侵入を確実に防ぐことができる。
【００４６】
また、前記サイドカバー１０の仕切壁１２の通し孔１４の開口を挿通した結束バンド１３により、電線６を仕切壁１２に固定することができるので、箱本体２の凹溝４内に収容された電線６が自由に動いて他のワイヤハーネスなどに絡みつくことを防ぐことができ、電線６などの配索を整えることができる。
【００４７】
図６及び図７は、本発明の他の実施形態を示したもので、前記実施形態と同一箇所には同一符号を付す。
【００４８】
本実施形態の場合、電気接続箱１の箱本体の外壁に形成された凹溝を塞ぐサイドカバー１０の本体部１１が二重壁構造に形成されている。すなわち、前記本体部１１が、本体部１１の上端部及び両側部において接続された外壁部１１ａと内壁部１１ｂとで構成されており、外壁部１１ａと内壁部１１ｂとの間には空隙１１ｃが形成されている。該空隙１１ｃは、図４に示す結束バンド１３のバンド部１３ｂの厚さｘ以上に形成されている。
【００４９】
サイドカバー１０の本体部１１の外壁部１１ａの表面は、サイドカバー１０が箱本体に取り付けられた状態で、箱本体の外壁の表面と略面一になるように形成されている。また、サイドカバー１０の前記本体部１１の内壁部１１ｂには、箱本体２の上面から下面まで伸びる仕切壁１２が前記凹溝内に突出するように形成されている。そして、前記内壁部１１ｂ及び前記仕切壁１２は、前記サイドカバー１０の前記凹溝の内面に相対する内側部分に形成されることになる。
【００５０】
また、前記仕切壁１２により前記凹溝内が２つの部屋に区切られ、該部屋の一方には、箱本体の上面の端子取付部にねじ止めされた端子金具の電線接続部及び電線６が収容されるようになっている。
【００５１】
前記電線６が収容される側であって、前記サイドカバー１０の前記凹溝の内面に相対する内側部分である本体部１１の内壁部１１ｂには、本体部１１の長手方向の上下位置にそれぞれ、結束バンド１３用の通し孔１４ａ、１４ｂが２箇所並んで形成されている。これらの通し孔１４ａ、１４ｂの開口は前記内壁部１１ｂにのみ形成されており、前記通し孔１４ａ、１４ｂは、内壁部１１ｂと外壁部１１ａとの間の前記空隙１１ｃと連通している。前記内壁部１１ｂに並んで形成された一方の通し孔１４ａの開口に結束バンドのバンド部の先端を挿通させ、該先端を前記空隙１１ｃ内を通して他方の通し孔１４ａ’の開口から引き出すことにより、内壁部１１ｂの内側に電線６を結束バンドで固定することができる。
【００５２】
前記サイドカバー１０の本体部１１を二重壁構造に形成するには、本体部１１を成形する金型内に抜きピンを配置しておき、金型内に絶縁性の合成樹脂を射出成形後、前記抜きピンを取り外すことにより、外壁部１１ａと内壁部１１ｂとの間に空隙１１ｃを有する二重壁構造の本体部１１を成形することができる。また、前記空隙１１ｃに連通する内壁部１１ｂの通し孔１４は、スライド型により成形することができる。
【００５３】
本実施形態によれば、前記サイドカバー１０を二重壁構造に形成し、サイドカバー１０の前記凹溝の内面に相対する内側部分である前記二重壁の内壁部１１ｂにのみ、結束バンド１３用の通し孔１４の開口を形成したので、従来のように、箱本体の外壁と面一のサイドカバー１０の表面に、結束バンド用の通し孔の開口を設ける必要がなくなり、箱本体の外壁に吹き付けられる高圧洗浄水が該通し孔の開口から電気接続箱１の内部に侵入する事態を防ぐことができ、電気接続箱１の内部への水の侵入を確実に防ぐことができる。
【００５４】
また、サイドカバー１０の内壁部１１ｂの通し孔１４の開口を挿通した結束バンド１３により、電線６を内壁部１１ｂに固定することができるので、箱本体の凹溝内に収容された電線６が自由に動いて他のワイヤハーネスなどに絡みつくことを防ぐことができ、電線６などの配索を整えることができ、さらに、サイドカバー１０の本体部１１を二重壁構造に形成したので、サイドカバー１０の剛性をより高めることができる。
【００５５】
なお、前記した実施形態は本発明の代表的な形態を示したに過ぎず、本発明は前記実施形態に限定されるものではなく、本発明の骨子を逸脱しない範囲で種々変形することができる。
【００５６】
すなわち、前記実施形態では、電線６を上下２箇所で固定するために、サイドカバー１０の前記凹溝の内面に相対する内側部分であるサイドカバー１０の仕切壁１２または内壁部１１ｂの長手方向の上下位置に、結束バンド１３用の通し孔１４を形成したが、サイドカバー１０の内側部分に形成する通し孔１４は、少なくとも、仕切壁１２または内壁部１１ｂの長手方向の上部位置に形成されていればよい。サイドカバー１０の長手方向の下部位置に形成された通し孔は、従来のようなサイドカバー１０の表面に開口する構成でもかまわない。
【００５７】
これは、前記高圧洗浄による水は、エンジンルームの上方から、すなわち電気接続箱１の上方から噴射されるのが通常であり、この上方からの高圧洗浄水が電気接続箱の内部に侵入するのを防ぐことができれば、電気接続箱１の防水性能としては十分だからである。
【００５８】
また、サイドカバー１０の前記凹溝の内面に相対する内側部分に形成する通し孔１４の開口を、前記仕切壁１２と前記内壁部１１ｂとの両方に形成してもよい。要するに、本発明では、サイドカバー１０の前記凹溝の内面に相対する内側部分にのみ、結束バンド用の通し孔の開口を形成すればよい。
【図面の簡単な説明】
【００５９】
【図１】本発明の一実施形態の電気接続箱を上方より見た斜視図である。
【図２】図１に示された電気接続箱の凹溝を塞ぐサイドカバーに固定された電線の状態を説明する図で、凹溝の内側からサイドカバー側に向けて見た斜視図である。
【図３】図２に示したサイドカバーの側面図である。
【図４】結束バンドを説明する斜視図である。
【図５】図２に示したサイドカバーの仕切壁への電線の固定状態を説明する図で、図２のＡ−Ａ線断面図である。
【図６】本発明の他の実施形態の電気接続箱のサイドカバーの説明図で、サイドカバーを凹溝の内側から見た状態の平面図である。
【図７】図６に示されたサイドカバーのＢ−Ｂ線断面図である。
【図８】従来の電気接続箱を上方より見た斜視図である。
【図９】従来の電気接続箱の凹溝を塞ぐサイドカバーに固定された電線の状態を説明する図で、凹溝の内側からサイドカバー側に向けて見た斜視図である。
【符号の説明】
【００６０】
１、１０１  電気接続箱
２、１０２  箱本体
３、１０３  外壁
３ａ、１０３ａ  切り欠き部
４、１０４  凹溝
５、１０５  端子金具
５ａ、１０５ａ  電気接触部
５ｂ、１０５ｂ  電線接続部
６、１０６  電線
７、１０７  端子取付部
８、１０８  ボルト
９、１０９  スライド溝
１０、１１０  サイドカバー
１１、１１１  本体部
１１ａ  外壁部
１１ｂ  内壁部
１１ｃ  空隙
１２、１１２  仕切壁
１３、１１３  結束バンド
１４、１１４  通し孔
【図１】
2006320131.tif 000003
【図２】
2006320131.tif 000004
【図３】
2006320131.tif 000005
【図４】
2006320131.tif 000006
【図５】
2006320131.tif 000007
【図６】
2006320131.tif 000008
【図７】
2006320131.tif 000009
【図８】
2006320131.tif 000010
【図９】
2006320131.tif 000011